(57)【要約】【課題】文書情報に関連付ける属性値の候補であって、文書情報を検索する際に件数を絞り込むための候補を提示する属性情報付与プログラム及び属性情報付与装置を提供する。【解決手段】属性情報付与装置１は、文書情報１１１に関連付けて登録する属性情報の属性値として属性名の入力を受け付ける属性情報入力受付手段１０１と、属性情報入力受付手段１０１が受け付けた属性名に追加する新たな属性名の候補を他の文書情報１１１に関連付けられた属性情報１１２から取得する属性候補取得手段１０３と、属性情報候補取得手段１０３が取得した属性名の候補を、属性情報入力受付手段１０１が受け付けた属性名と、当該属性名の候補とを検索キーワードとして他の文書情報１１１に関連付けられた属性情報１１２を検索した場合に合致する件数に基づいて表示の優先度を変えて表示する属性候補表示手段１０４とを有する。【選択図】図１
2014096082.tif 000002
【特許請求の範囲】
【請求項１】
コンピュータを、
文書情報に関連付けて登録する属性情報の属性値の候補を他の文書情報に関連付けられた属性情報から取得する取得手段と、
前記取得手段が取得した属性値の候補を検索語として他の文書情報に関連付けられた属性情報を検索した場合に合致する件数に基づいて優先度を決定し、当該優先度に基づいて当該属性値の候補を表示する表示手段として機能させるための属性情報付与プログラム。
【請求項２】
前記取得手段は、前記他の文書情報のうち前記文書情報と類似する文書情報に関連付けられた属性情報に頻出する属性値を属性値の候補として取得する請求項１に記載の属性情報付与プログラム。
【請求項３】
前記表示手段は、前記属性情報が検索された履歴に関する情報を取得し、当該情報から検索の際に検索語として頻出した属性値に基づいて、前記優先度を変えて前記属性値の候補を表示する請求項１又は２に記載の属性情報付与プログラム。
【請求項４】
前記属性値の候補を検索語として他の文書情報に関連付けられた属性情報を検索した場合に、予め定めた件数に絞り込めるか否か判定する判定手段としてさらに機能させ、
前記取得手段は、前記判定手段が前記予め定めた件数に絞り込めないと判定した場合にさらに属性値の候補を取得し、
前記表示手段は、前記判定手段が前記予め定めた件数に絞り込めると判定した場合に表示を変更する請求項１−３のいずれかに記載の属性情報付与プログラム。
【請求項５】
文書情報に関連付けて登録する属性情報の属性値の候補を他の文書情報に関連付けられた属性情報から取得する取得手段と、
前記取得手段が取得した属性値の候補を検索語として他の文書情報に関連付けられた属性情報を検索した場合に合致する件数に基づいて優先度を決定し、当該優先度に基づいて当該属性値の候補を表示する表示手段とを有する属性情報付与装置。
【発明の詳細な説明】
【技術分野】
【０００１】
本発明は、属性情報付与プログラム及び属性情報付与装置に関する。
【背景技術】
【０００２】
従来の技術として、文書情報を解析して属性情報を自動で付与する属性情報付与装置が提案されている（例えば、特許文献１参照）。
【０００３】
特許文献１に開示された属性情報付与装置は、登録される文書情報を解析して属性値としてキーワードを抽出するとともに当該キーワードを登録する分類を決定し、当該キーワード及び分類を属性情報として文書情報に関連付けるものであって、利用者が検索を所望する場合には利用者が入力する検索キーワードで属性情報のキーワード及び分類について曖昧検索する。
【先行技術文献】
【特許文献】
【０００４】
【特許文献１】特開平３−２９６１６８号公報
【発明の概要】
【発明が解決しようとする課題】
【０００５】
本発明の目的は、文書情報に関連付ける属性値の候補であって、文書情報を検索する際に件数を絞り込むための候補を提示する属性情報付与プログラム及び属性情報付与装置を提供することにある。
【課題を解決するための手段】
【０００６】
本発明の一態様は、上記目的を達成するため、以下の属性情報付与プログラム及び属性情報付与装置を提供する。
【０００７】
［１］コンピュータを、
文書情報に関連付けて登録する属性情報の属性値の候補を他の文書情報に関連付けられた属性情報から取得する取得手段と、
前記取得手段が取得した属性値の候補を検索語として他の文書情報に関連付けられた属性情報を検索した場合に合致する件数に基づいて優先度を決定し、当該優先度に基づいて当該属性値の候補を表示する表示手段として機能させるための属性情報付与プログラム。
【０００８】
［２］前記取得手段は、前記他の文書情報のうち前記文書情報と類似する文書情報に関連付けられた属性情報に頻出する属性値を属性値の候補として取得する前記［１］に記載の属性情報付与プログラム。
【０００９】
［３］前記表示手段は、前記属性情報が検索された履歴に関する情報を取得し、当該情報から検索の際に検索語として頻出した属性値に基づいて、前記優先度を変えて前記属性値の候補を表示する前記［１］又は［２］に記載の属性情報付与プログラム。
【００１０】
［４］前記属性値の候補を検索語として他の文書情報に関連付けられた属性情報を検索した場合に、予め定めた件数に絞り込めるか否か判定する判定手段としてさらに機能させ、
前記取得手段は、前記判定手段が前記予め定めた件数に絞り込めないと判定した場合にさらに属性値の候補を取得し、
前記表示手段は、前記判定手段が前記予め定めた件数に絞り込めると判定した場合に表示を変更する前記［１］−［３］のいずれかに記載の属性情報付与プログラム。
【００１１】
［５］文書情報に関連付けて登録する属性情報の属性値の候補を他の文書情報に関連付けられた属性情報から取得する取得手段と、
前記取得手段が取得した属性値の候補を検索語として他の文書情報に関連付けられた属性情報を検索した場合に合致する件数に基づいて優先度を決定し、当該優先度に基づいて当該属性値の候補を表示する表示手段とを有する属性情報付与装置。
【発明の効果】
【００１２】
請求項１又は５に係る発明によれば、文書情報に関連付ける属性値の候補であって、文書情報を検索する際に件数を絞り込むための候補を提示することができる。
【００１３】
請求項２に係る発明によれば、文書情報と類似する他の文書情報に関連付けられた属性情報に頻出する属性値を属性値の候補として取得することができる。
【００１４】
請求項３に係る発明によれば、検索の際に検索語として頻出した属性値に基づいて、表示の優先度を変えて属性値の候補を表示することができる。
【００１５】
請求項４に係る発明によれば、受付手段が受け付けた属性値を検索語として他の文書情報に関連付けられた属性情報を検索した場合に、予め定めた件数に絞り込めるか否か判定し、予め定めた件数に絞り込めないと判定した場合に属性値の候補を取得し、予め定めた件数に絞り込めると判定した場合に表示を変更することができる。
【図面の簡単な説明】
【００１６】
【図１】図１は、属性情報付与装置の構成の一例を示すブロック図である。
【図２】図２は、属性情報入力欄に対する属性名の入力例を示す概略図である。
【図３】図３は、属性情報判定手段の判定結果を示す概略図である。
【図４】図４は、属性候補取得手段の集計結果を示す概略図である。
【図５】図５は、属性情報入力欄に表示される属性候補の一例を示す概略図である。
【図６】図６は、新たな属性名が挿入された後の属性情報入力欄の構成の一例を示す概略図である。
【図７】図７は、属性情報入力欄に表示される属性候補の一例を示す概略図である。
【図８】図８は、表示が変更された属性情報入力欄の構成の一例を示す概略図である。
【図９】図９は、属性情報付与装置の動作の一例を示すフローチャートである。
【図１０】図１０は、類似文書情報の構成の一例を示す概略図である。
【図１１】図１１は、類似文書集計結果の構成の一例を示す概略図である。
【図１２】図１２は、属性候補取得手段の集計結果の構成の一例を示す概略図である。
【図１３】図１３は、属性情報入力欄に表示される属性候補の一例を示す概略図である。
【図１４】図１４（ａ）及び（ｂ）は、属性候補取得手段の検索集計結果の構成の一例を示す概略図である。
【図１５】図１５は、属性情報入力欄に表示される属性候補の一例を示す概略図である。
【図１６】図１６は、属性情報入力欄において表示される属性候補の構成の他の例を示す概略図である。
【発明を実施するための形態】
【００１７】
［第１の実施の形態］
（属性情報付与装置の構成）
図１は、属性情報付与装置１の構成の一例を示すブロック図である。
【００１８】
この属性情報付与装置１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、操作入力用のキーボード及びタッチパネル等の操作部１３と、液晶ディスプレイ等の表示部１２とを備える。
【００１９】
制御部１０は、後述する属性情報付与プログラム１１０を実行することで、文書情報登録手段１００、属性情報入力受付手段１０１、属性情報判定手段１０２、属性候補取得手段１０３、属性候補表示手段１０４及び属性候補挿入手段１０５等として機能する。
【００２０】
文書情報登録手段１００は、登録要求に応じて記憶部１１の文書情報１１１に新たな文書情報を登録する。
【００２１】
属性情報入力受付手段１０１は、新たな文書情報に関連付けて登録する属性情報の属性値として属性名の入力を受け付ける。なお、属性名にさらに分類を付与しても良い。また、以下において属性名は複数受け付ける場合について説明するが、単数であってもよい。
【００２２】
属性情報判定手段１０２は、属性情報入力受付手段１０１が受け付けた複数の属性名を検索キーワードとし、当該検索キーワードによって属性情報１１２を検索した場合、当該検索の結果の絞り込みの度合が予め定めた値以下となるか否か判定する。なお、絞り込みの度合とは、一例として、属性情報１１２の全件数に対する検索キーワードで検索した場合に合致する件数の割合とする。
【００２３】
属性候補取得手段１０３は、属性情報判定手段１０２が絞り込みの度合が予め定めた値以下でないと判定した場合に、候補となる属性名を過去に登録した属性情報１１２から単数又は複数取得する。
【００２４】
属性候補表示手段１０４は、属性候補取得手段１０３が取得した候補となる属性名と、当該候補となる属性名を属性情報１１２から検索した場合に合致する件数とを表示部１２に一覧表示する。
【００２５】
属性候補挿入手段１０５は、属性候補表示手段１０４が表示部１２に一覧表示した候補となる属性名から、利用者が選択した候補を登録しようとする属性情報に挿入する。
【００２６】
記憶部１１は、属性情報付与プログラム１１０、文書情報１１１及び属性情報１１２等を格納する。
【００２７】
属性情報付与プログラム１１０は、制御部１０を上記した各手段１００〜１０６として動作させるプログラムである。
【００２８】
文書情報１１１は、例えば、テキスト情報、画像情報、音声情報、動画情報等の文書情報であって情報の種類は特に限定されない。
【００２９】
属性情報１１２は、文書情報１１１のそれぞれに関連付けられた属性名であり、予め登録される。
【００３０】
なお、属性情報付与装置１は、例えば、パーソナルコンピュータであり、その他に携帯電話機、タブレット端末等を用いることもできる。
【００３１】
また、操作部１３及び表示部１２を省略した制御部１０と記憶部１１をサーバ装置として構成し、外部の端末の要求に応じて動作するようにしてもよい。
【００３２】
また、複数のサーバ装置を用いて、制御部１０と記憶部１１を構成し、外部の端末の要求に応じて動作するようにしてもよい。
【００３３】
（属性情報付与装置の動作）
次に、本実施の形態の作用を説明する。
【００３４】
まず、属性情報付与装置１の利用者は、記憶部１１の文書情報１１１に新たな文書情報を登録するとともに、当該登録した文書情報に対して関連付けて属性情報を登録するため属性名を入力すべく操作部１３を操作する。
【００３５】
図９は、属性情報付与装置１の動作の一例を示すフローチャートである。
【００３６】
まず、属性情報付与装置１の文書情報登録手段１００は、文書情報の登録を受け付けて記憶部１１の文書情報１１１に登録する（Ｓ１）。
【００３７】
次に、属性情報入力受付手段１０１は、図２に示す属性情報入力欄を表示部１２に表示して属性名の入力を受け付ける（Ｓ２）。
【００３８】
図２は、属性情報入力欄に対する属性名の入力例を示す概略図である。
【００３９】
属性情報入力欄１０１ａは、表示部１２に表示され、複数の属性名１１２ａを入力するための表示領域である。図２に示す例では、「コンピュータ」及び「リファレンス」という２つの属性名が入力されている。
【００４０】
次に、属性情報判定手段１０２は、属性情報入力欄１０１ａに入力された属性名である「コンピュータ」及び「リファレンス」が検索について予め定めた基準を満たすものであるか否かを判定する（Ｓ３）。判定は、以下に示す方法で行われる。
【００４１】
まず、属性情報判定手段１０２は、「コンピュータ」及び「リファレンス」の２つの条件を属性情報１１２についてＡＮＤ検索し、合致する件数を取得し、属性情報１１２の全件数と比較して判定結果とする。
【００４２】
図３は、属性情報判定手段１０２の判定結果を示す概略図である。
【００４３】
判定結果１０２ａは、全件数「１２５２」と、「コンピュータ」及び「リファレンス」の両方に合致する件数「５２０」とを有する。
【００４４】
属性情報判定手段１０２は、上記した合致する件数「５２０」の全件数「１２５２」に対する割合５２０÷１２５２＝０．４１５…が、予め定めた値の一例として「０．０１」以上である場合は、属性名「コンピュータ」及び「リファレンス」からなる属性情報は検索について予め定めた基準を満たす属性情報でないと判定する（Ｓ４；Ｙｅｓ）。つまり、属性名「コンピュータ」及び「リファレンス」だけでは検索の際に予め定めた基準で絞り込みが行えないと判断する。
【００４５】
次に、属性候補取得手段１０３は、属性名「コンピュータ」及び「リファレンス」にさらに加えるべき属性名の候補を過去に入力された属性情報１１２から取得する（Ｓ５）。取得は、以下に示す方法で行われる。
【００４６】
属性候補取得手段１０３は、属性情報１１２において「コンピュータ」及び「リファレンス」と同時に入力された属性名を取得し、さらに「コンピュータ」、「リファレンス」及び当該同時に入力された属性名によって属性情報１１２を検索した場合に合致する件数を取得し、以下に示す集計結果を算出する。
【００４７】
図４は、属性候補取得手段１０３の集計結果を示す概略図である。
【００４８】
集計結果１０３ａは、属性情報１１２において「コンピュータ」及び「リファレンス」と同時に入力された属性名と、「コンピュータ」、「リファレンス」及び当該同時に入力された属性名によって属性情報１１２を検索した場合に合致する件数とを有する。
【００４９】
図４に示す例では、属性候補取得手段１０３は、属性名として「ＡＰＩ」、「入門書」、「文法」、「勉強会」、「後で読む」を取得し、それぞれ「３０」、「２０」、「２０」、「７」、「２」の件数を合致した件数として取得する。
【００５０】
次に、属性候補表示手段１０４は、上記した図４の属性名が合致した件数順でない場合は合致した件数順に属性名を並び替えて（Ｓ６）、並び替えた属性名の候補を属性候補１０４ｂとして表示部１２に表示する（Ｓ７）。
【００５１】
なお、属性候補表示手段１０４は、合致した件数順に属性名を並び替える他、件数の平均及び標準偏差を算出し、平均から標準偏差の定数倍の幅に含まれる属性名を表示するようにして、件数の多すぎるもの及び件数の少なすぎるものを省くようにしてもよい。また、属性候補表示手段１０４は件数順に並び替えるのみで、属性候補取得手段１０３が、属性名の件数が平均から標準偏差の定数倍の幅に含まれる属性名を取得するようにしてもよい。
【００５２】
図５は、属性情報入力欄に表示される属性候補の一例を示す概略図である。
【００５３】
属性情報入力欄１０１ｂは、表示部１２に表示されるものであり、属性情報入力欄１０１ａに複数の属性名１１２ｂを入力した後の状態を示す。属性情報入力欄１０１ｂは、属性候補１０４ｂを有し、属性候補１０４ｂは、並び替えられた属性名と、それぞれの属性名が合致した件数とを有する。
【００５４】
利用者は、当該属性候補１０４ｂの属性名から合致した件数を参考にして、ステップＳ１で登録した文書情報の内容に一致する属性名を選択する。ここでは、例えば「入門書」を選択する。
【００５５】
次に、属性候補挿入手段１０５は、利用者の属性名「入門書」の選択を受け付けて（Ｓ８）、「コンピュータ」及び「リファレンス」からなる属性情報に属性名「入門書」を挿入する（Ｓ９）。
【００５６】
図６は、新たな属性名が挿入された後の属性情報入力欄の構成の一例を示す概略図である。
【００５７】
属性情報入力欄１０１ｃは、属性名１１２ｃとして「コンピュータ」、「リファレンス」、「入門書」を有する。
【００５８】
上記したステップＳ３−Ｓ９は、属性情報判定手段１０２が入力されている属性名が検索について予め定めた基準を満たすものと判定するまで繰り返される。
【００５９】
属性名「入門書」を挿入した時点では、２０÷１２５２＝０．０１５…であるため、予め定めた値「０．０１」より小さくなっておらず、属性情報判定手段１０２は検索について予め定めた基準を満たす属性情報でないと判断し（Ｓ４；Ｙｅｓ）、属性候補取得手段１０３及び属性候補表示手段１０４によりステップＳ５−Ｓ７が実行され、図７に示すように、新たな属性名の候補を表示する。
【００６０】
図７は、属性情報入力欄に表示される属性候補の一例を示す概略図である。
【００６１】
属性情報入力欄１０１ｄは、属性情報入力欄１０１ｃに複数の属性名１１２ｄを入力した後の状態を示す。属性情報入力欄１０１ｄに新たに表示される属性候補１０４ｄは、並び替えられた属性名と、それぞれの属性名が合致した件数とを有する。
【００６２】
利用者は、当該属性候補１０４ｄの属性名から合致した件数を参考に属性名を選択する。ここでは、例えば「Ｒａｋｅ」を選択する。
【００６３】
属性名「Ｒａｋｅ」を挿入した時点では、７÷１２５２＝０．００５…であるため、予め定めた値「０．０１」より小さくなっており、属性情報判定手段１０２は検索について予め定めた基準を満たす属性情報であると判断し（Ｓ４；Ｎｏ）、属性情報入力欄の表示を以下に示すように変更する（Ｓ１０）。
【００６４】
図８は、表示が変更された属性情報入力欄の構成の一例を示す概略図である。
【００６５】
属性情報入力欄１０１ｅは、属性名「コンピュータ」、「リファレンス」、「入門書」、「Ｒａｋｅ」を有し、全体の表示を利用者の注意を引く色等に変更し、属性情報入力欄１０１ａ−１０１ｄと異なる表示とする。
【００６６】
（第１の実施の形態の効果）
上記した実施の形態によると、文書情報に関連付けて属性情報を登録する際に、入力される属性名が文書情報の件数の絞り込みについて予め定めた基準を満たすもの否かを判定し、満たさない場合には属性候補を取得して、入力された属性名と取得した属性候補とによって属性情報１１２を検索することで合致する件数を提示し、満たすものである場合には属性情報入力欄１０１ｅのように表示を変更するようにしたため、利用者に対して、文書情報を検索する際に件数の絞り込みについて予め定めた基準を満たす属性名の候補を提示することができる。
【００６７】
［第２の実施の形態］
図９のステップＳ５−Ｓ７の動作について以下のようにしてもよい。
【００６８】
まず、属性候補取得手段１０３は、ステップＳ１で登録した文書情報と類似度の高い文書情報を文書情報１１１から取得し、類似度を算出する。ここで、文書情報間の類似度の算出は、一例として、文書情報中に出現する単語によりベクトルを生成し、ベクトル空間法等を用いて行う。また、属性候補取得手段１０３は、類似度の高い文書情報に関連付けられた属性情報の属性名を取得し、これらにより類似文書情報を生成する。
【００６９】
図１０は、類似文書情報の構成の一例を示す概略図である。
【００７０】
類似文書情報１０３ｂは、文書情報の文書名と、ステップＳ１で登録した文書情報との類似度と、関連付けられた属性情報に含まれる属性名とを有し、例えば、類似度について上位５件の情報で構成される。
【００７１】
属性候補取得手段１０３は、類似文書情報１０３ｂの属性名について出現頻度を算出し、以下に示す類似文書集計結果を得る。
【００７２】
図１１は、類似文書集計結果の構成の一例を示す概略図である。
【００７３】
類似文書集計結果１０３ｃは、属性名と、出現頻度とを有する。
【００７４】
次に、属性候補取得手段１０３は、類似文書集計結果１０３ｃの属性名と、「コンピュータ」、「リファレンス」とによって属性情報１１２を検索した場合に合致する件数を取得し、集計結果を得る。
【００７５】
図１２は、属性候補取得手段１０３の集計結果の構成の一例を示す概略図である。
【００７６】
集計結果１０３ｄは、属性情報１１２において「コンピュータ」及び「リファレンス」と同時に入力された属性名と、「コンピュータ」、「リファレンス」及び当該同時に入力された属性名によって属性情報１１２を検索した場合に合致する件数とを有する。
【００７７】
次に、属性候補表示手段１０４は、上記した図１２の属性名が合致した件数順でない場合は合致した件数順に属性名を並び替えて（Ｓ６）、並び替えた属性名の候補を属性候補１０４ｆとして表示部１２に表示する（Ｓ７）。
【００７８】
図１３は、属性情報入力欄に表示される属性候補の一例を示す概略図である。
【００７９】
属性情報入力欄１０１ｆは、表示部１２に表示されるものであり、複数の属性名１１２ｆを入力した後の状態を示す。属性情報入力欄１０１ｆは、属性候補１０４ｆを有し、属性候補１０４ｆは、並び替えられた属性名と、それぞれの属性名が合致した件数とを有する。
【００８０】
（第２の実施の形態の効果）
上記した実施の形態によると、第１の実施の形態の効果に加えて、文書情報１１１の類似度を考慮して、利用者に対して、文書情報を検索する際に件数の絞り込みについて予め定めた基準を満たす属性名の候補を提示することができる。
【００８１】
［第３の実施の形態］
図９のステップＳ５−Ｓ７の動作について以下のようにしてもよい。
【００８２】
まず、属性候補取得手段１０３は、ステップＳ５で取得した図４に示す集計結果１０３ａに加えて、図示しない検索履歴情報から属性名が検索キーワードとして使用された回数を取得し、検索集計結果を得る。
【００８３】
図１４（ａ）及び（ｂ）は、属性候補取得手段１０３の検索集計結果の構成の一例を示す概略図である。
【００８４】
図１４（ａ）に示すように、検索集計結果１０３ｅは、属性情報１１２において「コンピュータ」及び「リファレンス」と同時に入力された属性名と、「コンピュータ」、「リファレンス」及び当該同時に入力された属性名によって属性情報１１２を検索した場合に合致する件数と、属性名が検索キーワードとして使用された回数とを有する。
【００８５】
次に、属性候補取得手段１０３は、検索集計結果１０３ｅを検索使用された回数で並べ替えて、図１４（ｂ）に示すように、検索集計結果１０３ｆを得る。
【００８６】
次に、属性候補表示手段１０４は、上記した図１４（ｂ）の検索で使用された回数の順で属性名の候補を属性候補１０４ｇとして表示部１２に表示する。
【００８７】
図１５は、属性情報入力欄に表示される属性候補の一例を示す概略図である。
【００８８】
属性情報入力欄１０１ｇは、複数の属性名１１２ｇを入力した後の状態を示す。属性情報入力欄１０１ｇは、属性候補１０４ｇを有し、属性候補１０４ｇは、並び替えられた属性名と、それぞれの属性名が合致した件数とを有する。
【００８９】
（第３の実施の形態の効果）
上記した実施の形態によると、第１の実施の形態の効果に加えて、過去に検索に用いられた検索キーワードを考慮して、利用者に対して、文書情報を検索する際に件数を絞り込みについて予め定めた基準を満たす属性名の候補を提示することができる。
【００９０】
［他の実施の形態］
なお、本発明は、上記実施の形態に限定されず、本発明の趣旨を逸脱しない範囲で種々な変形が可能である。例えば、以下に説明するようにしてもよい。
【００９１】
図１６は、属性情報入力欄において表示される属性候補の構成の他の例を示す概略図である。
【００９２】
属性候補入力欄１０１ｈにおいて、属性名１１２ｈとして「コンピュータ」、「リファレンス」と入力した後に書きかけの属性名として「Ｒｕｂ」と入力した場合、属性候補取得手段１０３は、「Ｒｕｂ」と前方一致となる属性名を属性情報１１２から取得するとともに、「コンピュータ」、「リファレンス」と取得した属性名とによって属性情報１１２を検索した場合に合致する件数する。
【００９３】
次に、属性候補表示手段１０４は、取得した属性名の候補及び合致する件数を属性候補１０４ｈとして表示部１２に表示する。
【００９４】
このようにすることで、利用者に対し、書きかけの属性名でどれだけ検索の際に絞り込みができるのかを提示することができる。
【００９５】
上記実施の形態では制御部１０内の各手段１００−１０５の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００９６】
１     属性情報付与装置
１０   制御部
１１   記憶部
１２   表示部
１３   操作部
１００ 文書情報登録手段
１０１ 属性情報入力受付手段
１０２ 属性情報判定手段
１０３ 属性候補取得手段
１０４ 属性候補表示手段
１０５ 属性候補挿入手段
１１０ 属性情報付与プログラム
１１１ 文書情報
１１２ 属性情報
【図１】
2014096082.tif 000003
【図２】
2014096082.tif 000004
【図３】
2014096082.tif 000005
【図４】
2014096082.tif 000006
【図５】
2014096082.tif 000007
【図６】
2014096082.tif 000008
【図７】
2014096082.tif 000009
【図８】
2014096082.tif 000010
【図９】
2014096082.tif 000011
【図１０】
2014096082.tif 000012
【図１１】
2014096082.tif 000013
【図１２】
2014096082.tif 000014
【図１３】
2014096082.tif 000015
【図１４】
2014096082.tif 000016
【図１５】
2014096082.tif 000017
【図１６】
2014096082.tif 000018